(57)【特許請求の範囲】
【請求項１】
フイルム終端部が紙管に固定されて巻回されてなるフイルムロールを、支持軸により上記紙管を拘止しつつ回転させて、フイルムを送り出す形式のフイルム供給装置において、上記フイルムの給送により上記フイルムが紙管から出尽くすことにより上記フイルムに作用する異常張力を検出する検出手段と、該検出手段からの異常検出出力をもとに、上記支持軸の回転停止と上記紙管に対する拘止解除とを行なう制御手段を設けたことを特徴とするフイルムの終端処理装置。
【請求項２】
上記支持軸が、その外筒から出没する多数の突起で上記紙管を内側から拘止し、上記検出手段からの異常検出出力をもとに、上記突起を後退させて上記紙管に対する駆動力伝達を断つように構成されていることを特徴とする請求項１記載のフイルムの終端処理装置。
【請求項３】
上記検出手段として、フイルム供給経路に配設したダンサローラの変位を検出する検出手段を用いたことを特徴とする請求項１記載のフイルムの終端処理装置。
【発明の詳細な説明】
【０００１】
【発明の属する技術分野】
本発明はフィルム供給装置におけるフィルムの終端処理装置に関する。
【０００２】
【従来の技術】
ロール状に巻回した長尺のフィルムを用いて包装物を作るような装置では、装置の稼働率を高める上からも、フィルムの終端を事前に予測して、新たなフィルムロールに交換するか、継ぎ足してゆくようにする必要がある。
【０００３】
特に、フィルムの終端部を紙管にテープで固定したようなフィルムロールを用いているような場合には、繰り出し終端時に大きな引っ張り力が急激に作用する結果、これがもとで、搬送経路上の全てのフィルムに伸びが生じて、アイマーク間隔が変わったりフィルムが蛇行するといった不都合が生じる。
【０００４】
【発明が解決しようとする課題】
本発明はこのような問題に鑑みてなされたもので、その目的とするところは、終端時に作用するフィルムへの引張り力をなくすことのできる新たなフィルムの終端処理装置を提供することにある。
【０００５】
【課題を解決するための手段】
すなわち、本発明はこのような課題を達成するためのフィルムの終端処理装置として、フイルム終端部が紙管に固定されて巻回されてなるフイルムロールを、支持軸により上記紙管を拘止しつつ回転させて、フイルムを送り出す形式のフイルム供給装置において、上記フイルムの給送により上記フイルムが紙管から出尽くすことにより上記フイルムに作用する異常張力を検出する検出手段と、該検出手段からの異常検出出力をもとに、上記支持軸の回転停止と上記紙管に対する拘止解除とを行なう制御手段を設けた。
【０００６】
【作用】
このように構成したことにより、繰り出し終端直前で紙管をフリーにし、フィルムへ過大な引っ張り力が作用するのを抑え、同時に、手による引出を可能にしてフィルムを最後まで使用することができる。
【０００７】
【発明の実施の形態】
そこで以下に本発明の実施例について説明する。
図面は製袋包装機に用いられるフィルム４の給送装置を示したものである。
【０００８】
図において、符号１はフィルムロールＲを支持する支持軸で、この支持軸１に支持されたフィルムロールＲから繰出されるフィルムｆは、ガイドローラ１０を経て、支持軸１方向に変位自在な傾斜ロッド１１により巾方向に位置を調整され、さらに張力調整用のダンサローラ１２を経て図示しないフォーマのもとへ送られるように構成されているが、このフィルム給送装置の詳細については、本出願人がすでに特開平５−１６９１７号公報等において開示しているので、これ以上の説明は省略する。
【０００９】
ところで、上記した支持軸１には、ベルト３を介して作用するフィルム繰出しモータ２に駆動されて回転するように構成され、また、この支持軸１は、図２に示したように、送り込まれた加圧空気により膨張し、かつ加圧空気を排出することより収縮する内筒６が設けられていて、内筒６を膨張させることによりその表面に植設した多数の突起７‥‥を外筒４に設けた孔５から突出させ、その先端で外筒４に装着したフィルムロールＲの紙管Ｄを内側から拘止してフィルムロールＲを支持軸１とともに一体的に回転させるように構成されている。
【００１０】
この支持軸１は、電磁切換弁８を介して加圧空気供給源９に接続し、さらにこの電磁切換弁８は、上記したダンサローラ１２に作用する張力を検出して出力するロードセル１５からの出力信号により操作され、ダンサローラ１２に異常な張力が作用した場合には、内筒６内の空気を排出してこれを収縮させることにより、フィルムロールＲへの駆動力伝達を断つように構成されている。
【００１１】
これに対して、図中符号２０はフィルムｆの終端処理制御装置で、ここには、フィルムｆに作用する平均的な張力を基準値としてこの信号を出力する基準値信号出力手段２１と、ロードセル１５からの検出信号と基準値信号出力手段２１からの基準値信号とを比較してその差信号をモータ制御手段２３に出力する一方、ロードセル１６からの異常張力検出信号を受けた場合にはフィルムエンド検知手段２４に異常信号を出力する比較手段２２と、比較手段２２からの差信号を受けてフィルムｆの張力を一定にすべくフィルム繰出しモータ２の回転を制御し、かつフィルムエンド検出手段２４が出力信号によりフィルム繰出しモータ２を停止させる信号を出力するモータ制御手段２３と、フィルムエンド検出信号２４からの出力信号により内筒６内の空気を排出すべく電磁切換弁８を切り替えるチャッキング駆動手段２５とによって構成されている。
またさらに、この制御装置２０には、フィルム繰出しモータ２の回転速度をもとにフィルムロールＲの径を演算する演算手段２６と、この演算手段２６からの演算信号と警戒値設定手段２８からの警戒値信号を比較し、演算値が警戒値を越えた場合にはリスタートリレー２９を介してモータ制御手段２３に停止信号を出力する警戒値領域検出手段２７が設けられている。
【００１２】
つぎに、このように構成された装置の動作について説明する。
通常のフィルム給送状態のもとでは、フィルムｆに作用する張力の変動に応じてダンサローラ１２が上下し、この動きをもとにロードセル１５によって検出された張力は検出信号として比較手段２２に入力し、基準値信号出力手段２１からの基準値信号と比較された上、その差信号によりモータ制御手段２３を介してフィルム繰出しモータ２の回転数を制御して、張力をほぼ一定に維持しつつフィルムｆを図示しないフォーマのもとへ給送する。
【００１３】
またこの制御系では、フィルム繰出しモータ２の回転速度をもとにロール径演算手段２６で逐一フィルムロールＲの径が演算され、この値が警戒値設定手段２８に予め設定された値に達すると、警戒値領域検知手段２７からモータ制御手段２３に出力した信号によりフィルム繰出しモータ２を停止させるが、これらの制御動作については特開平７−２２８４００号公報において本出願人がすでに提案しているので、これ以上の説明は省略する。
【００１４】
一方、フィルムｆの供給動作が続いて、紙管Ｄに巻回されたフィルムｆがすべて出尽くすと、末端がこの紙管Ｄに固定されたフィルムｆには、図示しないプルダウンベルトの引張り力がダンサローラ１２を介して作用するようになる。
【００１５】
この急激な張力変動はダンサローラ１３の急上昇として現れるから、この動きを大きな負荷変動として捉えたロードセル１５は、この異常検出信号を比較手段２２に出力し、フィルムエンド検知手段２４及びモータ制御手段２３を介してフィルム繰出しモータ２を直ちに停止させるとともに、チャッキング駆動手段２５を介して電磁切換弁８を作動させ、内筒６内の空気を外部に放出してこれを収縮させ、その表面に設けた突起７を紙管Ｄの内面から離脱させて、フィルムロールＲの拘止を解く。
【００１６】
これにより、フィルムｆに過大な張力が作用するのを事前に回避して、給送過程にあるフィルムｆの延びや破断といった事故の発生を未然に抑えることができるから、最後に、フィルムｆを手で一杯まで引出した上、この端部に新たなフィルムｆの先端を接合して、つぎのフィルムｆの給送動作に入らせる。
【００１７】
【発明の効果】
以上述べたように本発明によれば、繰出しの終端時に作用する過大な張力により供給過程にあるフィルム全体を使用不能にするといった不都合を未然に防ぐとともに、フィルムを終端まで引出すことを可能にし、その無駄を省いて新たなフィルムとの接合図ることができる。
【００１８】
しかも、張力検出手段としてダンサロールの変位を検出するようにしたので、フィルム終端時に作用する過大な張力をダンサロールの変位により一時的に吸収し、この張力が直接フィルムに作用することによって生じるダメージを未然に抑えることができる。
【図面の簡単な説明】
【図１】本発明の一実施例を示す装置の概要構成図である。
【図２】フィルムロールの紙管を拘止するチャッキング機構を示した断面図である。
【符号の説明】
１  ロール支持軸
２  フィルム繰出しモータ
５  中空外筒
６  内筒
８  電磁切換弁
１３  ダンサローラ
２０  制御装置
【図１】
0004003819.tif 000002
【図２】
0004003819.tif 000003